(57)【特許請求の範囲】
【請求項１】
シェーカまたは篩い分け装置に使用される篩であって、
篩フレームの第１端部には、上方に向かって開口した第１溝と、前記第１溝に向かって上方へ傾斜した第１傾斜面と、前記第１傾斜面の上端から下方に向かって垂直に延在し、前記第１溝の側面をなす第１垂直端面とを含む上方に突出した第１リップが形成され、
前記篩フレームの前記第１端部と対向する第２端部には、下方に向かって開口した第２溝と、前記第２溝に向かって下方に傾斜した第２傾斜面と、前記第２傾斜面の下端から上方に向かって垂直に延在し、前記第２溝の側面をなす第２垂直端面とを含む下方に突出した第２リップが形成され、
前記篩フレームは、他の篩フレームとは、前記篩フレームの前記第１端部と、他の篩フレームにおける前記第２端部に相当する端部とを対向させて、前記篩フレームを他の篩フレームに向けて動かし、他の篩フレームにおける前記第２傾斜面に相当する傾斜面が、前記篩フレームの前記第１傾斜面を乗り越えることにより、前記篩フレームの前記第１垂直端面と、他の篩フレームにおける前記第２垂直端面に相当する端面とが対向した状態で、他の篩フレームにおける前記第２リップに相当するリップが、前記篩フレームの前記第１溝に嵌め込まれるとともに、他の篩フレームにおける前記第２溝に相当する溝に前記篩フレームの前記第１リップが嵌め込まれる態様で連結されて、前記篩フレームの平面での直線の動きが他の篩フレームへ伝達される、篩。
【請求項２】
前記篩フレームの前記第１溝に他の篩フレームにおける前記第２リップに相当するリップが嵌め込まれるとともに、他の篩フレームにおける前記第２溝に相当する溝に前記篩フレームの前記第１リップが嵌め込まれることによる係合が、前記篩フレームと他の篩フレームとの間の隙間を塞ぎ、少なくとも粒状物質がその間を通過しないようにする役目も果たす、請求項１に記載の篩。
【請求項３】
前記係合は、液体がその間を通過しないように適合されている、請求項２に記載の篩。
【請求項４】
シェーカまたは篩い分け装置において、前記篩フレームは、一の篩フレームと他の篩フレームとを含み、
前記一の篩フレームの前記第１端部と前記他の篩フレームの前記第２端部とを対向させた状態で連結された前記一の篩フレームと前記他の篩フレームでは、前記一の篩フレームが後部篩フレームを構成し、前記他の篩フレームが前部篩フレームを構成する、請求項１から３のいずれかに記載の篩。
【請求項５】
２つの篩フレームは平面的に整列されている、請求項４に記載の２つの櫛の組合せ。
【請求項６】
前記一の篩フレームが前記他の篩フレームに対して、ヒンジ結合可能となっている、請求項４に記載の２つの篩の組合せ。
【請求項７】
前記一の篩フレームは前記他の篩フレームに対し傾斜させる、請求項４または６に記載の２つの篩の組合せ。
【請求項８】
１対の篩フレームの係合は、力伝達連結を提供して、前部篩フレームを引張り出すだけで後部篩フレームを取外すことを可能にする、請求項４，５，６または７に記載の２つの篩の組合せ。
【請求項９】
篩フレームにおける対向する前記第１端部および前記第２端部と交差する方向に対向する第３端部と第４端部とをそれぞれ支持するための平行なレールと、後部篩フレームにおける前記第２端部を支持するための前記第２端部に沿って延びた後部棚状突起と、膨張可能な縁封止材とを含む支持構造における、請求項４から８のいずれかに記載の２つの篩の組合せであって、
膨張可能な縁封止材は、膨張され加圧されると、膨張した縁封止材とレールおよび棚状突起との間に篩フレームの縁をしっかり挟み、一旦縁封止材が膨張すると支持構造における篩フレームのいかなる動きも防止するが、収縮されると、支持構造内および外へ動くための篩フレームのレールに対する動きと、一の篩フレームの他の篩フレームに対する垂直な動きとを可能にして、一の篩フレームのリップが他の篩フレームの溝へ入り込みやすくし、２つの篩フレームの前記係合をもたらす、２つの篩の組合せ。
【請求項１０】
篩フレームにおける対向する前記第１端部および前記第２端部と交差する方向に対向する第３端部と第４端部とをそれぞれ支持するための平行なレールと、後部篩フレームにおける前記第２端部を支持するための前記第２端部に沿って延びた後部棚状突起と、膨張可能な縁封止材とを含む支持構造において、請求項１から４のいずれかに記載の２つの篩を接合する方法であって、
膨張可能な縁封止材は、膨張され加圧されると、膨張した縁封止材とレールおよび棚状突起との間に篩フレームの縁をしっかり挟み、一旦縁封止材が膨張すると支持構造における篩フレームのいかなる動きも防止するが、収縮されると、支持構造内および外へ動くための篩フレームのレールに対する動きと、一の篩フレームの他の篩フレームに対する垂直な動きとを可能にしており、
他の篩フレームの前記第２端部が、支持構造内で、一の篩フレームの前記第１端部に対して持ち上げられ、他の篩フレームの前記第２リップが一の篩フレームの前記第１リップに乗り上げ、乗り越えて、前記第２リップが前記第１溝に落下して前記第２リップが前記第１溝に嵌り込むとともに、一の篩フレームの前記第１リップが他の篩フレームの前記第２溝に嵌り込むことによって、係合をもたらす、２つの篩を接合する方法。
【請求項１１】
２つの篩フレームは次々と支持構造へ滑りこみ、所定の位置に滑りこむ一の篩フレームの前記第２端部には、前記第２溝と前記第２リップが形成されている、請求項１０に記載の方法。
【請求項１２】
他の篩フレームは、他の篩フレームの前記第２端部が一の篩フレームの前記第１端部に当接するまで支持構造内へと押込まれ、他の篩フレームの前記第２リップの外形は、一の篩フレームの前記第１リップに乗り上げ、乗り越えるように適合されている、請求項１１に記載の方法。
【請求項１３】
請求項１０に記載の２つの篩を接合する方法により接合された２つの篩を取外す方法であって、
縁封止材を収縮させるステップと、一の篩フレームが支持構造から離れるまで２つの篩フレームを１つのものとして引張るステップと、他の篩フレームの前記第２溝および前記第２リップを、一の篩フレームの前記第１溝および前記第１リップから取外すステップと、その後、一の篩フレームを掴み、それも支持構造から離れるまで外向きに引張るステップとを含む、篩の取外し方法。
【請求項１４】
前記篩フレームの前記第２端部では、前記第２垂直端面と対向する態様で、前記篩フレームの下端部にまで延在し、前記第２溝の他の側面をなす第３垂直端面が形成されている、請求項１から３のいずれかに記載の篩。
【発明の詳細な説明】
【０００１】
【発明の分野】
この発明は、英国特許明細書ＧＢ２，３２２，５９０およびＧＢ２，２９２，５３３に開示された種類の篩に関し、そのような篩の端と端とを接合するための方法および装置に関する。
【０００２】
【背景】
ＧＢ２，３２２，５９０およびＧＢ２，２９２，５３３に示されたような、記載された種類の篩には、篩のフレームの端に雄および雌の縁形成部が設けられており、その目的は、篩をシェーカまたは篩い分け装置内に取付ける際、接合箇所を封止し、一方の篩のもう一方に対する角方位に適合することにある。しかし、２つの篩が接合されてそのような装置のフレーム支持構造内に配置される場合、どの接合箇所も、一方の篩を他方に確実に連結して、２つの篩を１つのものとして取り扱い可能とするようにはなっていない。
【０００３】
この発明の目的は、シェーカまたは篩い分け装置において一方の篩を他方の後ろに取付ける際、後部篩の前縁と前部篩の後縁とのそのような連結を提供することにある。
【０００４】
【発明の概要】
この発明によれば、記載された種類の篩が提供され、篩フレームの一端には上向きに開いたチャネルプロファイルが設けられ、他端には同様ではあるが下向きに開いたチャネルプロファイルが設けられて、上向きに開いたプロファイルの外側の縁が、隣接する篩フレームの縁に沿って設けられた下向きに開いたプロファイルのチャネル内に嵌るようになっており、２つのそのような篩同士を連結されることを可能にし、ほぼ係合線に垂直な方向で、ほぼ２つの篩のうちの少なくとも１つの平面での直線の動きが、一方の篩フレームから他方へ伝達されることを可能にしている。
【０００５】
この発明はまた、隣接する同様の篩に嵌め込まれた場合、一方のプロファイルのもう一方による係合が、２つの篩フレーム間の隙間を塞ぎ、少なくとも粒状物質がその間を通過しないようにする役目も果たす、前述のような篩にも見いだされる。
【０００６】
好ましくは、２つのプロファイルの係合は、液体がその間を通過しないように適合されている。
【０００７】
通常、シェーカまたは篩い分け装置の支持構造に、前述のような篩が、第２の同様の篩とともに縦１列に、一方が他方の後ろになるよう配置されて取付けられた場合、装置の正面から見て、内側のものが１対のうちの後部篩を構成し、他方が１対のうちの前部篩を構成する。
【０００８】
そのような配置では、２つの篩はほぼ平面に整列されていてもよい。
組み合わされて一対の篩を形成する場合、係合は遊び連結を含み、一方のフレームが他方に対し連結を中心としてヒンジ結合可能となっていてもよい。
【０００９】
いくつかの用途においては、支持構造は、一方の篩を他方の平面に対し傾斜させるよう適合されていてもよい。
【００１０】
一平面において整列されていようと傾斜されていようと、２つのフレームの縁プロファイルの係合は、確実な力伝達連結を提供するので、１対のうちの前部フレームを引張り出すだけで後部篩フレームを支持構造から取外すことができる。
【００１１】
そのような１対の篩用支持構造は通常、２つの篩フレームの左手および右手の縁を支持するための平行なレールと、後部篩フレームの遠端を支持するための横方向に延びた後部棚状突起と、膨張可能な縁封止材とを含み、それは、膨張され加圧されると、膨張した封止材とレールおよび棚状突起との間にフレームの縁をしっかり挟み、一旦封止材が膨張すると支持構造におけるフレームのいかなる動きも防止するが、収縮されると、支持構造内および外へ動くための篩のレールに対する動きと、一方のフレームの他方に対する垂直な動きとを可能にして、一方のプロファイルが他方へ入り込みやすくし、支持構造における２つの篩との前記係合をもたらしており、この発明は、２つのそのような篩が取りつけられた際の、前述のような支持構造に見いだされる。
【００１２】
この発明はまた、支持構造において前述のような２つの篩を接合する方法にも見いだされ、支持構造は、２つの篩フレームの左手および右手の縁を支持するための平行なレールと、後部篩フレームの遠端を支持するための横方向に延びた後部棚状突起と、膨張可能な縁封止材とを含み、それは、膨張され加圧されると、膨張した封止材とレールおよび棚状突起との間にフレームの縁をしっかり挟み、一旦封止材が膨張すると支持構造におけるフレームのいかなる動きも防止するが、収縮されると、支持構造内および外へ動くための篩のレールに対する動きと、一方のフレームの他方に対する垂直な動きとを可能にしており、下向きに開いたプロファイルを備えるフレームの端が、支持構造内で、他方のフレームの端に設けられた上向きに開いたプロファイルに対して持ち上げられ、下向きに開いたプロファイルが上向きに開いたプロファイルのチャネルの外側の壁に乗り上げ、乗り越えて、その後前記チャネル内に落下して係合し、係合をもたらす。
【００１３】
２つの篩は次々と支持構造へ滑りこみ、所定の位置に滑りこむ第１の篩には、上向きに開いたプロファイルがその後端に配置されるようになっていてもよい。
【００１４】
好ましくは、支持構造内へと押込まれる第２の篩は、その先端が第１の篩の後端に当接するまで挿入され、プロファイルの外形は、第２の篩の連続した前方への動きとともに、第２の篩の先端が第１の篩の後端上のプロファイルに乗り上げ、乗り越えるように適合されている。
【００１５】
前述の支持構造に取付けられた２つの篩は、縁封止材を収縮させ、第１のフレームが支持構造から離れるまで２つのフレームを１つのものとして引張り、その内側の端の縁プロファイルを、内部の篩の外側の縁に沿った縁プロファイルから取外し、その後、後者を掴み、それも支持構造から離れるまで外向きに引張ることにより、そこから取り外されてもよい。
【００１６】
ＧＢ２，３２２，５９０およびＧＢ２，２９２，５３３に記載されたフレームの縁の雄／雌係合は、一方のフレームと次のフレームとが並んだときのフレーム間にある程度の干渉を提供したが、これらのフレームの縁の係合は、特に使用後、両フレームが泥にひどく覆われ、特に後部フレームが非常に摺動しにくい場合、１対のうちの前部フレームを引出すだけで後部フレームを引出すのに必要であるとわかっているような、確実な力伝達連結を提供していなかった。
【００１７】
上述のように、篩は、フレームの左手および右手の縁を支持するための平行なレールと、後部篩フレームの遠端を支持するための横方向に延びた後部棚状突起とを有する支持構造内に配置されてもよく、膨張可能な縁封止材が提供され、これは加圧されると、膨張した封止材とレールおよび棚状突起との間にフレームの縁をしっかりと挟む。一旦膨張されると、フレームの縁に作用する圧搾がフレームのいかなる動きも防止する。しかし、一旦収縮されると、両フレームはレールに沿って摺動可能となるだけでなく、制限された相対的な垂直の動きも可能となる。より初期の特許明細書に見られる係合が２つのフレーム間に提供されるべき確実な牽引連結を提供するのに不十分とされるのは、この後者の自由度のためである。
【００１８】
同様に、封止材が収縮された場合に可能となるこの相対的な垂直の動きが、この発明を実現化する１対の篩フレームの縁を接合することを支援するために既に述べたように採用され、一方のフレームが他方に対して持上げられ、その外側の下向きに延びた縁プロファイルのリップが、もう一方のフレームの隣接する端で、対応するものの上向きに延びた縁プロファイルのリップを越えて持上げられ、それからその中に落下されて接合をもたらすようになっていてもよい。
【００１９】
勿論、一旦２つの縁がそのように係合されると、２つのフレームは確実に接合され、接合個所に垂直な方向における一方の摺動する動きは他方に確実に伝達されるため、２つは１つのものとして動く。既に述べたように、後部フレームをしたがって、前部フレームを引張るだけで引出すことが可能である。一旦後者がチャンバ内の支持アセンブリから離れると、その後端の縁プロファイルを、後部篩の前縁に沿った縁プロファイルから取り外すことが可能である。後者はそれから、その前端に沿って掴み、引張ることにより、引出すことが可能である。
【００２０】
以下に、添付図面を参照して、この発明を例を挙げて説明する。
【００２１】
【実施例の説明】
図１では、英国特許ＧＢ２，３２２，５９０の図面に関連して記載されたものと同様の篩が、上からの平面図に示されている。篩はＧＲＰフレーム１０から構成され、それは、そのフレームの外縁によって囲まれた区域を１２などの複数の長方形の同様の大きさの窓に分割する、リブの直交配列を有する。図示されてはいないが、織込まれたワイヤクロスが、英国特許ＧＢ２，３２２，５９０に記載されたような方法で、フレームに張り渡され、外縁およびリブに結合されている。
【００２２】
フレームは通常、支持アセンブリ内に縦１列に並んで配置されており、図１のフレームの左手の端が、支持アセンブリ内においてその前にある（すなわち図１の篩の左にある）同様のフレームの右手の端となるところに当接している。支持アセンブリは、フレームの２つの長い方の縁１４、１６（図２参照）の下面に係合する２つのレール（図示せず）と、レールと同一平面上にあり、支持アセンブリを横断して延びて、最も内側のフレームの後縁に沿って縁プロファイル２０の下面１８を支持するリップ（図示せず）とを含む。
【００２３】
一般に、第２の１対の篩が、２つの平行なレールと横断する後部リップとの上に同様に支持されて、第１の１対と同一平面上に、その一方側に配置されている。濾過は、４つの篩すべてによって規定された区域の上に泥を注ぎ、そうしながら支持アセンブリを振って、固体は篩の上に広がり、液体は織込まれたワイヤクロスを通過するようにすることにより達成される。
【００２４】
２つの篩間の接合部は、一方のフレームの縁の下向きに突き出したリップ２２を、他方のフレームの隣接する縁に沿った縁プロファイルの上向きに面したチャネル２４に係合させることにより形成される。
【００２５】
リップ２２の下面２６は約４５°傾斜しており、チャネル２４を規定するリップ３０の上縁２８は、２２上の斜面２６と相補するように、同様に４５°傾斜している。このように、下向きに突き出したリップ２２を保持する縁を有するフレームの上向きの垂直な動きが起こり得るとして、リップ２２を保持するフレームの、チャネル２４を保持する整列されたフレームの縁へ向かう方向の摺動する動きは、面２６が面２８と係合している場合、４５°傾いた２つの面の係合により、リップ２２がチャネル２４内に落下するまでリップ２２を保持するフレームを持上げ、その結果、２つのフレームは端と端とがしっかりと接合される。
【００２６】
リップ３０の協働する雌プロファイルとチャネル２４とが（図１の左手端に見られるように）他方のフレームの端を完全に横断して延びていなくても、リップ２２が（図１の右手端に見られるように）フレームの幅を確実に完全に横断するようにすることにより、リップ２２は接合箇所のカバーとして作用し、これとチャネル２４におけるその係合とにより、いかなる粒状物質も２つの縁の間の接合箇所を通過しないようにする。
【図面の簡単な説明】
【図１】  篩フレームの平面図である。
【図２】  図１の線ＡＡにおける断面図である。
【図３】  図１の線ＢＢにおける断面図である。
【図４】  図１の篩の前（取付時に外側となる）縁（右手端）の縁プロファイルを通る断面図である。
【図５】  図１の篩の後（取付時に内側となる）縁（左手端）の縁プロファイルを通る断面図である。
【符号の説明】
１０  フレーム、２２  リップ、２４  チャネル。
【図１】
0004693333.tif 000002
【図２】
0004693333.tif 000003
【図３】
0004693333.tif 000004
【図４】
0004693333.tif 000005
【図５】
0004693333.tif 000006